(57)【要約】      （修正有）【課題】ダンボール板から作られるダンボール箱であって、接着剤、ファスナなどを使用することなく、きわめて簡単容易に組み立てることができ、材料の節減を図り、ダンボール箱の強度を確保しながら物の出入れが容易にできるようにする。【解決手段】一枚のダンボール板Ｐから作られ、外側板５を後側板３に対して折り曲げると共に内底板７を外側板５に対して折り曲げ、後側板３を底板１に対して折り曲げ、内底板７を底板１上に重ね合わせ、内側板４を前側板２に対して折り曲げ、前側板２を底板１に対して折り曲げ、内側板４を外側板５の内側に重ね合わせ蓋板８を前側板２に対して折り曲げる。【選択図】図６
0003133668.tif 000002
【実用新案登録請求の範囲】
【請求項１】
一枚の板材（Ｐ）よりなる組立式収納箱であって、
一枚の板材（Ｐ）には、
底板（１）と、
前記底板（１）の前、後辺に折り線（Ｂ２，Ｂ３）を介して接続される前側板（２）および後側板（３）と、
前記前側板（２）の左、右辺に折り線（Ｂ４，Ｂ４）を介して接続される左、右内側板（４，４）と、
前記後側板（３）の左、右辺に折り線（Ｂ５，Ｂ５）を介して接続される左、右外側板（５，５）と、
前記左、右外側板（５，５）の前辺に折り線（Ｂ７，Ｂ７）を介して接続される、左、右内底板（７，７）と、
前記後側板（３）および左、右外側板（５，５）後辺に折り線（Ｂ６ａ；Ｂ６ｂ，Ｂ６ｂ）を介してそれぞれ接続されるフラップ（６ａ；６ｂ，６ｂ）と、
前記前側板（２）の前辺に折り線（Ｂ８）を介して接続される蓋板（８）と、
が一平面状に形成されており、
左、右外側板（５，５）はフラップ（６ｂ，６ｂ）と共に折り線（Ｂ５，Ｂ５）を介して後側板（３）に対して略直角に折り曲げられると共に、左、右内底板（７，７）は折り線（Ｂ７，Ｂ７）を介して左、右外側板（５，５）に対して直角に折り曲げられ、
後側板（３）はフラップ（６ａ）と共に底板（１）に対して折り線（Ｂ３）を介して略直角に折り曲げられて前記左、右内底板（７，７）は底板（１）上に重ね合わされ、
左、右内側板（４，４）は折り線（Ｂ４，Ｂ４）を介して前側板（２）に対して略直角に折り曲げられ、
前記前側板（２）は底板（１）に対して折り線（Ｂ２）を介して略直角に折り曲げられて前記左、右内側板（４，４）は、前記左、右外側板（５，５）の内側に重ね合わされ、  前記蓋板（８）は前側板（２）に対して折り線（Ｂ８）を介して略直角に折り曲げられることを特徴とする、組立式収納箱。
【請求項２】
前記左、右内側板４，４の前辺には、折り線（Ｂ６ｂ′）を介して他のフラップ（６ｂ′）が形成され、その他のフラップ（６ｂ′）は、板材（Ｐ）の組立時には、前記フラップ（６ｂ）に重なり合うようにされていることを特徴とする、前記請求項１記載の組立式収納箱。
【請求項３】
蓋板（８）の前辺と、前記後側板（３）とフラップ（６ａ）との接続線には、相互に着脱可能に差込み結合される差込舌片（１２）と差込孔（１１）とが、それぞれ形成されていることを特徴とする、前記請求項１または２記載の組立式収納箱。
【考案の詳細な説明】
【技術分野】
【０００１】
本考案は、組立時にテープ、ファスナ、接着剤などの接続手段が一切不要であり、組立、解体が簡単、容易であり、物の出し入れがし易く、かつ十分な強度を保有する組立式収納箱に関する。
【背景技術】
【０００２】
従来、組立時に接着剤、テープ、ファスナなどの接続手段に依存することなく、折畳み手段によって、組立および解体を容易かつ迅速に行うことができるようにした、保存箱は後記特許文献１により公知である。
【特許文献１】特開平１０−４５１２２号公報
【考案の開示】
【考案が解決しようとする課題】
【０００３】
ところが、従来の保存箱は、左右両側部が３枚の側面板により３重の側面部を構成するようにされており、正面板による強度を増大し、積み重ねにも十分耐え得る強度の保有するように構成されているものの、構造が複雑で、その組立が面倒であり、その製作コストが嵩むという問題があり、また物の出入口が上面だけであるので、物の出入がしにくいという問題がある。
【０００４】
本考案はかかる実情に鑑みてなされたもので、前記問題を解決できるようにした新規な組立式収納箱を提供することを目的とする。
【課題を解決するための手段】
【０００５】
前記目的を達成するために、請求項１記載の考案は、一枚の板材よりなる組立式収納箱であって、一枚の板材には、底板と、前記底板の前、後辺に折り線を介して接続される前側板および後側板と、前記前側板の左、右辺に折り線を介して接続される左、右内側板と、前記後側板の左、右辺に折り線を介して接続される左、右外側板と、前記左、右外側板の前辺に折り線を介して接続される、左、右内底板と、前記後側板および左、右外側板後辺に折り線を介してそれぞれ接続されるフラップと、前記前側板２の前辺に折り線を介して接続される蓋板とが一平面状に形成されており、
左、右外側板はフラップと共に折り線を介して後側板に対して略直角に折り曲げられると共に、左、右内底板は折り線を介して左、右外側板に対して直角に折り曲げられ、後側板はフラップと共に底板に対して折り線を介して略直角に折り曲げられて前記左、右内底板は底板上に重ね合わされ、左、右内側板は折り線を介して前側板に対して略直角に折り曲げられ、前記前側板は底板に対して折り線を介して略直角に折り曲げられて前記左、右内側板は、前記左、右外側板の内側に重ね合わされ、前記蓋板は前側板に対して折り線を介して略直角に折り曲げられることを特徴としている。
【０００６】
また、前記目的を達成するために、請求項２記載の考案は、前記請求項１記載のものにおいて、前記左、右内側板４，４の前辺には、折り線を介して他のフラップが形成され、その他のフラップは、板材の組立時には、前記フラップに重なり合うようにされていることを特徴としている。
【０００７】
さらに、前記目的を達成するために、請求項３記載の考案は、前記請求項１または２記載のものにおいて、前記蓋板の前辺と、前記後側板とフラップとの接続線には、相互に着脱可能に差込み結合される差込舌片と差込孔とが、それぞれ形成されていることを特徴としている。
【考案の効果】
【０００８】
請求項各項記載の考案によれば、一枚の板材より、テープ、接着剤、ファスナなどの接続手段を一切使用することなく、きわめて簡単容易に組み立てることができ、しかも組立、解体が容易であり、さらに解体によって素材を傷つけたり、損傷したりすることがないので、再利用が可能である。また、組み立て後に底板に切目ができることがなく、その切目を封緘するためのテープなども止め手段が不要である。また、強度の要求される底板、左、右側板をいずれも２重板とすることができるので、組立の容易性と、材料の節減を図りながら、所望の強度をもつ組立式収納箱を提供することができる。さらに、前面および上面を開放して前方および上方の２方向から２重底の底板上に物を載せることができ、収納箱の強度を確保しながら物の出入れが容易である。
【０００９】
また、請求項２記載の考案によれば、フラップを２重板とすることができ、組立式収納箱の強度が高められる。
【考案を実施するための最良の形態】
【００１０】
本考案の実施の形態を、添付図面に例示した本考案の実施例に基づいて以下に具体的に説明する。
【００１１】
まず、図１〜７を参照して本考案の第１実施例について説明する。
【００１２】
この第１実施例は、本考案組立式収納箱を、ダンボール箱に実施した場合であり、図１は、組立式ダンボール箱の組み立て完了状態の一部破断斜視図、図２は、図１の２−２線に沿う断面図、図３は、図１の３−３線に沿う断面図、図４は、組立式ダンボール箱の展開平面図、図５〜７は、組立式ダンボール箱の組立手順を示す斜視図である。
【００１３】
本考案にかかる組立式収納箱、すなわち組立式ダンボール箱は、一枚のダンボール板Ｐにより構成され、テープ、ファスナ、接着剤などの接続手段を用いることなく、図１に示すように、開閉可能な蓋板を有して直方体状に組み立てられ、特に、強度の要求される、底板、左、右側板がいずれも二重板であって、十分の強度を保有しており、ダンボール箱を構成するダンボール板Ｐは、一枚のダンボール原紙を所定の形状に裁断して形成される。
【００１４】
図４には、ダンボール箱を一平面の展開した状態が示されており、そのダンボール板Ｐは、その中央部に長方形状の底板１を有し、この底板１の相対向する前、後辺には折り線Ｂ２，Ｂ３を介して前側板２および後側板３がそれぞれ接続される。
【００１５】
前記前側板２の左、右辺には、折り線Ｂ４，Ｂ４を介して左、右内側板４，４がそれぞれ接続される。また、この前側板２の前辺には、底板１と同じ蓋板８が折り線Ｂ８を介して接続される。
【００１６】
また、前記後側板３の左、右辺には、折り線Ｂ５，Ｂ５を介して前記左、右内側板４，４と同じ左、右外側板５，５が接続される。また左、右内側板５，５の前辺には折り線Ｂ７，Ｂ７を介して左、右内底板７，７が接続される。これらの内底板７，７は、ダンボール箱の組立時に底板１上に左、右に並んで重ね合わされように、底板１の略１／２の大きさにそれぞれ形成される。
【００１７】
後側板３および左、右外側板５，５の後辺には、折り線Ｂ６ａおよびＢ６ｂ，Ｂ６ｂを介して中央フラップ６ａおよび左、右フラップ６ｂ，６ｂが接続される。
【００１８】
前記左、右内側板４，４および前記左、右外側板５，５には、長孔１０…がそれぞれ開口され、それらの外側板５，５の各長孔１０…は、ダンボール箱の組立時に一致して、人が指を差し込んで把持し得る把手孔Ｈ（図１参照）となる。
【００１９】
後側板３と中央フラップ６ａ間の折り線Ｂ６ａの中央部には、差込孔１１が開口され、また蓋板８の外縁の中央部には、その差込孔１１に抜差自在に差し込まれる差込舌片１２が外側に向けて一体に形成される。
【００２０】
つぎに、図４〜７を参照して、展開状態のダンボール板Ｐから、ダンボール箱を組み立てる手順について説明する。
【００２１】
(1) まず、展開状態のダンボール板Ｐを設置面上に置いたのち、図５に示すように、後側板３を折り線Ｂ３に沿って略直角に上方に折り曲げ、また、左、右内底板７，７を内側に折り線Ｂ７，Ｂ７の沿って略直角に折り曲げ、左、右外側板５，５を折り線Ｂ５，Ｂ５に沿って内側すなわち底板１側に略直角に折り曲げる。
【００２２】
(2) 前記(1) の折り曲げにより、図６に示すように、左、右内底板７，７は、底板１上に重ね合わされて２重底となり、また底板１の三方、すなわち左、右辺および後辺は、起立した左、右外側板５，５および後側板３により囲まれる。これにより、ダンボール箱は、その前面および上面がいずれも開放状態となって、その前面および上面のいずれの側からもダンボール箱の２重底の底板１内へ収納物の出入れを行なうことができる。
【００２３】
(3) つぎに、図７に示すように、左、右内側板４，４を折り線Ｂ４，Ｂ４に沿って内側に略直角に折り曲げて、これらを起立した左、右外側板５，５の内側に差し込みながら前側板２を蓋板８と共に折り線Ｂ２に沿って略直角に折り曲げれば、ダンボール箱は、その左、右側板は、内、外側板４，５により２重板となり、また長孔１０，１０は一致して、人が把持し得る把手孔Ｈとなり、ダンボール箱の前面を閉じることができる。
【００２４】
(4) 中央フラップ６ａおよび左、右フラップ６ｂ，６ｂをそれぞれ折り線Ｂ６ａおよびＢ６ｂ，Ｂ６ｂに沿って内側に折り曲げたのち、蓋板８を折り線Ｂ８に沿って内側に折り曲げれば、ダンボール箱の開放上面は閉じられる。差込舌片１２を、差込孔１１に差し込むことにより、図１に示すように、ダンボール箱の組み立てが終了する。
【００２５】
以上、前記(1) 〜(4) により、一枚のダンボール板よりテープ、接着剤、ファスナなどを接続手段一切必要とすることなく、組立、解体がきわめて簡単、容易なダンボール箱を提供することができ、しかも強度の要求される左、右側板および底板をいずれも２重板としたので、簡単な構造でありながらダンボール箱として必要を強度を保有させることができ、さらに収納物の出入れが容易であり、特に、底板を２重底としたまま、前面および上面の２面を開放して収納物の出入れを行なうことができる。
【００２６】
以上のように、ダンボール箱を一枚の板材より、テープ、接着剤、ファスナーなどの接続手段を一切使用することなく、きわめて簡単容易に組み立てることができ、しかも組立、解体が容易であり、さらに解体によって素材を傷つけたり、損傷したりすることがないので、再利用が可能である。また、組み立て後に底板に切目ができることがなく、その切目を封緘するためのテープなどの止め手段が不要である。また、強度の要求される底板、左、右側板をいずれも２重板とすることができるので、組立の容易性と、材料の節減を図りながら、所望の強度をもつダンボール箱すなわち組立式収納箱を提供することができる。さらに、前面および上面を開放して前方および上方の２方向から２重底の底板上に物を載せることができ、ダンボール箱の強度を確保しながら物の出入れが容易である。
【００２７】
つぎに、図８を参照して、本考案の第２実施例について説明する。
【００２８】
図８は、前記第１実施例の図６に対応するダンボール箱の組立途中の状態を示す図であり、前記第１実施例と同じものには同じ符号が付される。
【００２９】
この第２実施例は、左、右内底板７，７を前記第１実施例のものよりも幅狭にした場合であり、この第２実施例によれば、底板１の一部が２重底とされており、収納物は比較的軽量であり、底板の２重底部分にて跨いで支持可能な大きさのものを収納するのに適している。
【００３０】
つぎに、図９を参照して、本考案の第３実施例について説明する。
【００３１】
図９は、前記第１実施例の図４に対応するダンボール箱の展開平面図であり、前記第１実施例と同じものには同じ符号が付される。
【００３２】
この第３実施例は、左、右内側板４，４の前辺に折り線Ｂ６ｂ′，Ｂ６ｂ′を介して他のフラップ６ｂ′，６ｂ′を接続したものである。
【００３３】
しかして、この第３実施例によれば、ダンボール箱の組立状態では、左、右のフラップ６ｂ，６ｂ′，６ｂ，６ｂ′は、重なり合って２重板とすることができ、ダンボール箱の強度を一層高めることができる。
【００３４】
以上、本考案の実施例について説明したが、本考案はその実施例に限定されることなく、本考案の範囲内で種々の実施例が可能である。
【００３５】
たとえば、前記実施例では、本考案組立式収納箱を、ダンボール板よりなるダンボール箱とした場合について説明したが、これを他の紙板、合成樹脂板、木板など他の板材により構成してもよいことは勿論である。
【図面の簡単な説明】
【００３６】
【図１】本考案の第１実施例に係る組立式ダンボール箱の組み立て完了状態の一部破断斜視図
【図２】図１の２−２線に沿う断面図
【図３】図１の３−３線に沿う断面図
【図４】組立式ダンボール箱の展開平面図
【図５】組立式ダンボール箱の組立手順を示す斜視図
【図６】組立式ダンボール箱の組立手順を示す斜視図
【図７】組立式ダンボール箱の組立手順を示す斜視図
【図８】本考案の第２実施例に係る、図６に対応する組立式ダンボール箱の組立手順を示す斜視図
【図９】本考案の第３実施例に係る、図４に対応する組立式ダンボール箱の展開平面図
【符号の説明】
【００３７】
１・・・・・・・・・底板
２・・・・・・・・・前側板
３・・・・・・・・・後側板
４・・・・・・・・・内側板
５・・・・・・・・・外側板
６ａ・・・・・・・・フラップ
６ｂ，６ｂ′・・・・フラップ
７・・・・・・・・・内底板
８・・・・・・・・・蓋板
１０・・・・・・・・・長孔
１１・・・・・・・・・差込孔
１２・・・・・・・・・差込舌片
Ｐ・・・・・・・・・ダンボール板（板材）
Ｂ２・・・・・・・・・折り線
Ｂ３・・・・・・・・・折り線
Ｂ４・・・・・・・・・折り線
Ｂ５・・・・・・・・・折り線
Ｂ６ａ・・・・・・・・折り線
Ｂ６ｂ，Ｂ６ｂ′・・・折り線
Ｂ７・・・・・・・・・折り線
Ｂ８・・・・・・・・・折り線
【図１】
0003133668.tif 000003
【図２】
0003133668.tif 000004
【図３】
0003133668.tif 000005
【図４】
0003133668.tif 000006
【図５】
0003133668.tif 000007
【図６】
0003133668.tif 000008
【図７】
0003133668.tif 000009
【図８】
0003133668.tif 000010
【図９】
0003133668.tif 000011